(57)【要約】  第１のピクセル側壁を有する第１のピクセルが開示される。第１のピクセル側壁に面する第２のピクセル側壁を有する第２のピクセルも開示される。第１のピクセル側壁と第２のピクセル側壁との間にあり、且つ状態トリガに基づいて光学的状態を変化させるように構成される第１の動的な光アイソレーション材料も開示され、第１のピクセル及び第２のピクセルの一方によって放出された光に対する第１のピクセル側壁での光の挙動が、光学的状態によって決定される。
2021507528.tif 000002
【特許請求の範囲】
【請求項１】
ピクセルアレイデバイスであって、当該デバイスは、
第１のピクセル側壁を有する第１のピクセルと、
前記第１のピクセル側壁に面する第２のピクセル側壁を有する第２のピクセルと、
前記第１のピクセル側壁と前記第２のピクセル側壁との間にあり、且つ状態トリガに基づいて光学的状態を変化させるように構成される第１の動的な光アイソレーション材料であって、前記第１のピクセル及び前記第２のピクセルの一方によって放出された光に対する前記第１のピクセル側壁での光の挙動が、前記光学的状態によって決定される、第１の動的な光アイソレーション材料と、を含む、
デバイス。
【請求項２】
前記第１の動的な光アイソレーション材料は、第１の光学的状態に基づいて放出光が通過するのを防ぎ、第２の光学的状態に基づいて放出光が通過することを可能にするべく前記光学的状態を変化させるように構成される、請求項１に記載のデバイス。
【請求項３】
前記第１の動的な光アイソレーション材料は、第１の光学的状態に基づいて通過する放出光を後方散乱させ、第２の光学的状態に基づいて放出光を通過させるべく前記光学的状態を変化させるように構成される、請求項１に記載のデバイス。
【請求項４】
前記第１の動的な光アイソレーション材料は、サーモクロミック材料、サーモトロピック材料、エレクトロクロミック材料、及びフォトクロミック材料のうちの１つであり、且つ構造化エポキシ、構造化ポリマー、及び均質構造化材料のうちの１つで提供される、請求項１に記載のデバイス。
【請求項５】
前記第１の動的な光アイソレーション材料に取り付けられた第２の動的な光アイソレーション材料をさらに含み、該第２の動的な光アイソレーション材料は、サーモクロミック材料、サーモトロピック材料、エレクトロクロミック材料、及びフォトクロミック材料のうちの１つである、請求項４に記載のデバイス。
【請求項６】
前記状態トリガは、光学的アドレス指定、電気的アドレス指定、又は温度変化のうちの１つである、請求項１に記載のデバイス。
【請求項７】
前記状態トリガは、前記第１のピクセル又は前記第２のピクセルのうちの少なくとも１つによって提供される、請求項１に記載のデバイス。
【請求項８】
前記状態トリガは、前記第２のピクセルと第３のピクセルとの組合せによって提供される、請求項１に記載のデバイス。
【請求項９】
前記第１のピクセル側壁は波長変換層側壁を含み、前記第１の動的な光アイソレーション材料は前記波長変換層側壁に取り付けられる、請求項１に記載のデバイス。
【請求項１０】
前記第１のピクセルは第３の面を含み、該第３の面には第２の動的な光アイソレーション材料がさらに含まれる、請求項１に記載のデバイス。
【請求項１１】
前記光学的状態は、透明状態、不透明状態、散乱状態、非散乱状態、及び反射状態のうちの１つである、請求項１に記載のデバイス。
【請求項１２】
方法であって、当該方法は、
第１のピクセルの側壁と第２のピクセルの側壁との間に配置される第１の動的な光アイソレーション材料において状態トリガを受け取るステップと、
該状態トリガに基づいて、前記第１の動的な光アイソレーション材料の光学的状態を変化させるステップと、
前記第１の動的な光アイソレーション材料において前記第１のピクセルから放出光を受光するステップと、
前記第１の動的な光アイソレーション材料の前記光学的状態に基づいて、前記第１のピクセル及び前記第２のピクセルの一方の側壁での前記放出光の光の挙動を変更するステップと、を含む、
方法。
【請求項１３】
前記光の挙動を変更するステップは、前記光を吸収するステップ、前記光を透過させるステップ、前記光を反射させるステップ、及び前記光を散乱させるステップのうちの１つを含む、請求項１２に記載の方法。
【請求項１４】
前記第１の動的な光アイソレーション材料は、サーモクロミック材料、サーモトロピック材料、エレクトロクロミック材料、及びフォトクロミック材料のうちの１つであり、且つ構造化エポキシ、シリコーン、構造化ポリマー、又は均質構造化材料のうちの１つで提供される、請求項１２に記載の方法。。
【請求項１５】
前記第１の動的な光アイソレーション材料に取り付けられた第２の動的な光アイソレーション材料において前記放出光を受光するステップをさらに含み、前記第２の動的な光アイソレーション材料は、サーモクロミック材料、サーモトロピック材料、エレクトロクロミック材料、及びフォトクロミック材料のうちの１つである、請求項１４に記載の方法。
【請求項１６】
前記状態トリガは、光学的アドレス指定、電気的アドレス指定、及び温度変化のうちの１つである、請求項１２に記載の方法。
【請求項１７】
前記状態トリガは、前記第１のピクセル及び前記第２のピクセルのうちの１つによって提供される、請求項１２に記載の方法。
【請求項１８】
前記第１のピクセルの非側壁面及び前記第２のピクセルの非側壁面に配置される第２の動的な光アイソレーション材料において前記状態トリガを受け取るステップと、
該状態トリガに基づいて、前記第２の動的な光アイソレーション材料の光学的状態を変化させるステップと、をさらに含む、請求項１２に記載の方法。
【請求項１９】
前記状態トリガに基づいて、前記第１の動的な光アイソレーション材料の光学的状態を変化させるステップは、
前記第１の動的な光アイソレーション材料の温度を上昇させるステップと、
該温度の上昇に基づいて、バインダーワックスを溶かすステップと、
吸収材料を前記溶かしたバインダーワックスに溶解させるステップと、をさらに含む、請求項１２に記載の方法。
【請求項２０】
前記状態トリガに基づいて、前記第１の動的な光アイソレーション材料の光学的状態を変化させるステップは、
前記第１の動的な光アイソレーション材料の温度を上昇させるステップと、
該温度の上昇に基づいて、多孔質シリカを膨張させるステップと、
膨張に基づいて、前記多孔質シリカの屈折率を低下させるステップと、をさらに含む、請求項１２に記載の方法。
【請求項２１】
前記第１の動的な光アイソレーション材料の光学的状態を変化させることにより、前記第１のピクセルと該第１のピクセルに近接する第２のピクセルとの間のクロストークが防止される、請求項１２に記載の方法。
【請求項２２】
前記第１の動的な光アイソレーション材料の光学的状態を変化させることにより、前記第１のピクセルと該第１のピクセルに近接する第２のピクセルとの間のクロストークが可能になる、請求項１２に記載の方法。
【発明の詳細な説明】
【技術分野】
【０００１】
本願発明は、光強度適応型ＬＥＤ側壁に関する。
【背景技術】
【０００２】
照明用途の精密な制御は、アドレス指定可能な小さな発光ダイオード（ＬＥＤ）ピクセルシステムの製品及び製造を必要とし得る。このようなＬＥＤピクセルシステムの製造では、ピクセルのサイズが小さく、システム同士の間のレーン（lane）スペースが小さいため、材料を正確に堆積する必要があり得る。
【０００３】
ＬＥＤ、共鳴空洞発光ダイオード（ＲＣＬＥＤ）、垂直空洞レーザーダイオード（ＶＣＳＥＬ）、及び端面発光レーザーを含む半導体発光デバイスは、現在利用可能な最も効率的な光源の１つである。可視スペクトルに亘って動作可能な高輝度発光デバイスの製造で現在注目されている材料系には、ＩＩＩ−Ｖ族半導体、特にガリウム、アルミニウム、インジウム、及び窒素の二元、三元、及び四元合金が含まれ、これらはＩＩＩ族窒化物材料ととも呼ばれる。典型的に、ＩＩＩ族窒化物の発光デバイスは、有機金属化学気相成長法（ＭＯＣＶＤ）分子線エピタキシー（ＭＢＥ）、又は他のエピタキシャル技術によって、サファイア、炭化ケイ素、ＩＩＩ族窒化物、複合材料、又は他の適切な基板上に、様々な組成及びドーパント濃度の半導体層のスタックをエピタキシャル成長させることによって製造される。スタックは、大抵の場合、基板の上に形成された、例えばＳｉでドープされた１つ又は複数のｎ型層、１つ又は複数のｎ型層の上に形成された活性領域内の１つ又は複数の発光層、及び活性領域の上に形成された例えばＭｇでドープされた１つ又は複数のｐ型層を含む。電気コンタクトが、ｎ型領域及びｐ型領域上に形成される。
【０００４】
ＩＩＩ族窒化物デバイスは、多くの場合、反転又はフリップチップデバイスとして形成され、ここで、ｎコンタクトとｐコンタクトとの両方が、半導体構造の同じ側に形成され、殆どの光は、コンタクトとは反対側の半導体構造の側から抽出される。
【発明の概要】
【０００５】
第１のピクセル側壁を有する第１のピクセルが開示される。第１のピクセル側壁に面する第２のピクセル側壁を有する第２のピクセルも開示される。第１のピクセル側壁と第２のピクセル側壁との間にあり、且つ状態トリガに基づいて光学的状態を変化させるように構成される第１の動的な光アイソレーション材料も開示され、第１のピクセル及び第２のピクセルの一方によって放出された光に対する第１のピクセル側壁での光の挙動が、光学的状態によって決定される。
【図面の簡単な説明】
【０００６】
添付の図面と併せて例として与えられる以下の説明から、より詳細な理解を得ることができる。
【図１Ａ】分解部分を含むマイクロＬＥＤアレイの上面図である。
【図１Ｂ】トレンチを含むピクセルマトリクスの断面図である。
【図１Ｃ】トレンチを含む別のピクセルマトリクスの斜視図である。
【図１Ｄ】ピクセルの側壁において光に影響を与える方法を示す図である。
【図１Ｅ】不透明状態の動的な光アイソレーション材料を含むピクセルアレイの上面図である。
【図１Ｆ】透明状態の動的な光アイソレーション材料を含むピクセルアレイの上面図である。
【図１Ｇ】アレイの一部が活性化状態であり、アレイの他の部分が非活性化状態であるピクセルアレイの上面図である。
【図１Ｈ】２つの動的な光アイソレーション材料層を含むピクセルの断面図である。
【図１Ｉ】ピクセルアレイの断面図である。
【図２Ａ】一実施形態における、ＬＥＤデバイスの取付け領域において基板に取り付けられたＬＥＤアレイを含む電子回路基板の上面図である。
【図２Ｂ】回路基板の２つの面に電子部品が取り付けられた２チャネル統合型ＬＥＤ照明システムの一実施形態の図である。
【図２Ｃ】車両前照灯システムの例である。
【図３】例示的な照明システムを示す図である。
【発明を実施するための形態】
【０００７】
様々な光照明システム及び／又は発光ダイオード（ＬＥＤ）の実施態様の例について、以下に添付の図面を参照してより完全に説明する。これらの例は互いに排他的ではなく、１つの例に見出される機能を１つ又は複数の他の例に見出される機能と組み合わせて、追加の実施態様を実現できる。従って、添付の図面に示される例は、例示のみを目的として提供されており、決して本開示を限定することを意図していないことが理解されよう。同じ番号は図面全体を通して同じ要素を指す。
【０００８】
本明細書では、第１、第２、第３等の用語を使用して様々な要素を説明し得るが、これらの要素はこれらの用語によって限定すべきではないことが理解されよう。これらの用語は、ある要素を別の要素と区別するために使用され得る。例えば、本発明の範囲から逸脱することなく、第１の要素を第２の要素と呼ぶことができ、第２の要素を第１の要素と呼ぶことができる。本明細書で使用される場合に、「及び／又は」という用語は、関連するリストされた項目のうちの１つ又は複数のありとあらゆる組合せを含み得る。
【０００９】
層、領域、又は基板等の要素が別の要素の「上（on）」にある又は別の要素の「上まで（onto）」延びると呼ばれる場合に、その要素が他の要素の上に直接ある又は他の要素の上まで直接延びてもよく、又は介在要素が存在してもよいことが理解されよう。対照的に、要素が別の要素の「上に直接」にある又は別の要素の「上まで直接」延びると呼ばれる場合に、介在要素が存在しない場合がある。要素が別の要素に「接続」又は「結合」されると呼ばれる場合に、その要素は、他の要素に直接接続又は結合してもよく、及び／又は１つ又は複数の介在要素を介して他の要素に接続又は結合してもよいことも理解されよう。対照的に、要素が別の要素に「直接接続」又は「直接結合」されると呼ばれる場合に、その要素と他の要素との間に介在要素は存在しない。これらの用語は、図に示される任意の向きに加えて、要素の異なる向きを包含することを意図していることが理解されよう。
【００１０】
「より下（below）」、「より上（above）」、「上（upper）」、「下（lower）」、「水平」又は「垂直」等の相対的な用語は、図に示されるように、ある要素、層、又は領域と別の要素、層、又は領域との関係を説明するために本明細書で使用され得る。これらの用語は、図に示される向きに加えて、デバイスの別の向きを包含することを意図していることが理解されよう。
【００１１】
紫外（ＵＶ）又は赤外（ＩＲ）光出力を放出するデバイス等の半導体発光デバイス（ＬＥＤ）又は光出力放出デバイスは、現在利用可能な最も効率的な光源の１つである。これらのデバイス（以下、「ＬＥＤ」）は、発光ダイオード、共振空洞発光ダイオード、垂直空洞レーザーダイオード、又は端面発光レーザー等を含み得る。例えば、コンパクトなサイズ及び低電力要件のため、ＬＥＤは、多くの異なる用途に対して魅力的な候補になる可能性がある。例えば、それらＬＥＤは、カメラ及び携帯電話等のハンドヘルド型電池式デバイスの光源（例えば、フラッシュライト及びカメラフラッシュ）として使用することができる。それらＬＥＤは、例えば、自動車照明、ヘッドアップディスプレイ（ＨＵＤ）照明、園芸照明、街路照明、ビデオ用トーチ、一般照明（例えば、家、店、オフィス、及びスタジオ照明、劇場／舞台照明、及び建築照明）、拡張現実（ＡＲ）照明、バーチャルリアリティ（ＶＲ）照明、ディスプレイ用のバックライト、及びＩＲ分光法にも使用することができる。単一のＬＥＤは、白熱光源よりも明るくない光を提供する可能性があり、従って、マルチ接合デバイス又はＬＥＤのアレイ（モノリシックＬＥＤアレイ、マイクロＬＥＤアレイ等）が、高輝度が望ましい又は必要な用途に使用され得る。
【００１２】
開示される主題の実施形態によれば、ＬＥＤアレイ（例えば、マイクロＬＥＤアレイ）は、図１Ａ、図１Ｂ、及び／又は図１Ｃに示されるようなピクセルのアレイを含み得る。ＬＥＤアレイは、ＬＥＤアレイセグメントの精密な制御を必要とするような任意の用途に使用され得る。ＬＥＤアレイ内のピクセルは、個別にアドレス指定でき、グループ／サブセットでアドレス指定でき、或いはアドレス指定できない場合がある。図１Ａにおいて、ピクセル１１１を含むＬＥＤアレイ１１０の上面図が示される。ＬＥＤアレイ１１０の３×３部分の分解図も図１Ａに示される。３×３部分の分解図に示されるように、ＬＥＤアレイ１１０は、約１００マイクロメートル（μｍ）以下（例えば、４０μｍ）の幅ｗ１を有するピクセル１１１を含み得る。ピクセル同士の間のレーン１１３は、約２０μｍ以下（例えば、５μｍ）の幅ｗ２によって分離され得る。図１Ｂ及び図１Ｃに示され且つさらに本明細書に開示されるように、レーン１１３は、ピクセル同士の間にエアギャップを提供してもよく、又は他の材料を含んでもよい。１つのピクセル１１１の中心から隣接するピクセル１１１の中心までの距離ｄ１は、約１２０μｍ以下（例えば、４５μｍ）であり得る。本明細書で提供される幅及び距離は単なる例であり、実際の幅及び／又は寸法が変化し得ることが理解されよう。
【００１３】
対称的なマトリックスで配置された長方形のピクセルが図１Ａ、図１Ｂ、及び図１Ｃに示されているが、任意の形状及び配置のピクセルを、本明細書に開示される実施形態に適用してもよいことが理解されよう。例えば、図１のＬＥＤアレイ１１０は、１００×１００マトリックス、２００×５０マトリックス、対称マトリックス、又は非対称マトリックス等の任意の適用可能な配置で１０，０００を超えるピクセルを含み得る。本明細書に開示される実施形態を実施するために、ピクセル、マトリクス、及び／又はボードの複数のセットを、任意の適用可能なフォーマットで配置してもよいことも理解されよう。
【００１４】
図１Ｂは、例示的なＬＥＤアレイ１０００の断面図を示す。図示されるように、ピクセル１０１０、１０２０、及び１０３０は、ＬＥＤアレイ内の３つの異なるピクセルに対応し、分離セクション１０４１及び／又はｎ型コンタクト１０４０がピクセルを互いに分離する。一実施形態によれば、ピクセル同士の間のスペースは、エアギャップによって占められてもよい。図示されるように、ピクセル１０１０は、例えばサファイア基板等の任意の適用可能な基板上で成長され得るエピタキシャル層１０１１を含み、サファイア基板はエピタキシャル層１０１１から除去され得る。コンタクト１０１５から遠位の成長層の表面は、実質的に平面であるか、又はパターン化してもよい。ｐ型領域１０１２が、ｐコンタクト１０１７に近接して位置し得る。活性領域１０２１が、ｎ型領域及びｐ型領域１０１２に隣接して配置され得る。あるいはまた、活性領域１０２１は、半導体層又はｎ型領域及びｐ型領域１０１２の間にあり得、活性領域１０２１が光ビームを放出するように電流を受け取ることができる。ｐコンタクト１０１７は、ＳｉＯ２層１０１３及び１０１４、並びにめっき金属層１０１６（例えば、めっき銅）と接触し得る。ｎ型コンタクト１０４０は、Ｃｕ等の適用可能な金属を含み得る。金属層１０１６は、反射性であり得るコンタクト１０１５と接触し得る。
【００１５】
特に、図１Ｂに示されるように、ｎ型コンタクト１０４０は、ピクセル１０１０、１０２０、及び１０３０の間に形成されたトレンチ１１３０内に堆積してもよく、且つエピタキシャル層を越えて延びてもよい。分離セクション１０４１は、（図示されるように）波長変換層１０５０の全て又は一部を分離し得る。ＬＥＤアレイが、そのような分離セクション１０４１なしで実装され得るか、又は分離セクション１０４１は、エアギャップに対応し得ることが理解されよう。分離セクション１０４１は、ｎ型コンタクト１０４０の延長であり得、それによって分離セクション１０４１は、ｎ型コンタクト１０４０と同じ材料（例えば、銅）から形成される。あるいはまた、分離セクション１０４１は、ｎ型コンタクト１０４０とは異なる材料から形成され得る。一実施形態によれば、分離セクション１０４１は、反射性材料を含み得る。分離セクション１０４１及び／又はｎ型コンタクト１０４０内の材料は、例えば、ｎ型コンタクト１０４０及び／又は分離セクション１０４１の堆積を含む又は可能にするメッシュ構造を適用する等、任意の適用可能な方法で堆積され得る。波長変換層１０５０は、図２Ａの波長変換層２０５と同様の特徴／特性を有することができる。本明細書で述べるように、１つ又は複数の追加の層が、分離セクション１０４１をコーティングし得る。そのような層は、反射層、散乱層、吸収層、又は他の任意の適用可能な層であり得る第１の光学材料であり得る。１つ又は複数のパッシベーション層１０１９が、ｎ型コンタクト１０４０をエピタキシャル層１０１１から完全に又は部分的に分離することができる。
【００１６】
エピタキシャル層１０１１は、励起されたときに光子を放出する任意の適用可能な材料（サファイア、ＳｉＣ、ＧａＮ、シリコンを含む）から形成され得、より具体的には、ＡｌＮ、ＡｌＰ、ＡｌＡ、ＡｌＳｂ、ＧａＮ、ＧａＰ、ＧａＡｓ、ＧａＳｂ、ＩｎＮ、ＩｎＰ、ＩｎＡｓ、ＩｎＳｂを含むがこれらに限定されないＩＩＩーＶ族半導体、ＺｎＳ、ＺｎＳｅ、ＣｄＳｅ、ＣｄＴｅを含むがこれらに限定されないＩＩ−ＶＩ属半導体、Ｇｅ、Ｓｉ、ＳｉＣ、及びこれらの混合物又は合金を含むがこれらに限定されないＩＶ族半導体から形成され得る。これらの例示的な半導体は、それらが存在するＬＥＤの典型的な発光波長で、約２．４〜約４．１の範囲の屈折率を有し得る。例えば、ＧａＮ等のＩＩＩ族窒化物半導体は、５００ｎｍで約２．４の屈折率を有し得、ＩｎＧａＰ等のＩＩＩ族リン化物半導体は、６００ｎｍで約３．７の屈折率を有し得る。ＬＥＤデバイス２００に結合されたコンタクトは、ＡｕＳｎ、ＡｕＧａ、ＡｕＳｉ、又はＳＡＣはんだ等のはんだから形成され得る。
【００１７】
ｎ型領域は、成長基板上で成長することができ、例えば、バッファ又は核生成層等の準備層及び／又は成長基板の除去を容易にするように設計された層を含む、異なる組成及びドーパント濃度を含む半導体材料のうちの１つ又は複数の層を含むことができる。これらの層は、ｎ型であっても意図的にドープされていなくてもよく、又はｐ型デバイス層であってもよい。層は、発光領域が効率的に発光するために望ましい特定の光学的、材料的、又は電気的特性のために設計され得る。同様に、ｐ型領域１０１２は、意図的にドープされていない層又はｎ型層を含む、異なる組成、厚さ、及びドーパント濃度の複数の層を含み得る。電流が、（例えば、コンタクトを介して）ｐ−ｎ接合を通って流れるようにされ得、ピクセルは、少なくとも部分的に材料のバンドギャップエネルギーによって決定される第１の波長の光を生成し得る。ピクセルは、光を直接放出するか（例えば、通常又は直接放出ＬＥＤ）、又は放出された光の波長をさらに変更して第２の波長の光を出力するように機能する波長変換層１０５０（例えば、蛍光体変換ＬＥＤ、「ＰＣＬＥＤ」等）内に光を放出し得る。
【００１８】
図１Ｂが、例示的な配置のピクセル１０１０、１０２０、及び１０３０を含む例示的なＬＥＤアレイ１０００を示しているが、ＬＥＤアレイ内のピクセルは、複数の配置のうちの任意の１つで提供してもよいことが理解されよう。例えば、ピクセルは、フリップチップ構造、垂直注入薄膜（ＶＴＦ）構造、マルチ接合構造、薄膜フリップチップ（ＴＦＦＣ）、横型デバイス等であってもよい。例えば、横型ＬＥＤピクセルは、フリップチップＬＥＤピクセルに似ているが、電極を基板又はパッケージに直接接続するために上下を逆にすることはできない。ＴＦＦＣもフリップチップＬＥＤピクセルに似ているが、成長基板が除去されている場合がある（薄膜半導体層は支持されていないままである）。対照的に、成長基板又は他の基板は、フリップチップＬＥＤの一部として含まれ得る。
【００１９】
波長変換層１０５０は、活性領域１０２１によって放出された光の経路にあり得、それによって活性領域１０２１によって放出された光が１つ又は複数の中間層（例えば、フォトニック層）を横断することができる。実施形態によれば、波長変換層１０５０は、ＬＥＤアレイ１０００に存在してもしなくてもよい。波長変換層１０５０は、例えば、透明又は半透明のバインダー又はマトリックス中の蛍光体粒子、又はセラミック蛍光体等の任意の発光材料を含むことができ、発光材料は、ある波長の光を吸収し、別の波長の光を放出する。波長変換層１０５０の厚さは、使用される材料、或いはＬＥＤアレイ１０００又は個々のピクセル１０１０、１０２０、及び１０３０が配置される用途／波長に基づいて決定され得る。例えば、波長変換層１０５０は、約２０μｍ、５０μｍ、又は２００μｍであり得る。波長変換層１０５０は、図示されるように、各個々のピクセル上に設けてもよく、又はＬＥＤアレイ１０００全体の上に配置してもよい。
【００２０】
一次光学系１０２２は、１つ又は複数のピクセル１０１０、１０２０、及び／又は１０３０上に又はその上にあってもよく、光が活性領域１０１及び／又は波長変換層１０５０から一次光学系を通過することを可能にし得る。一次光学系を介した光は、一般にランバート分布パターンに基づいて放出され得るため、一次光学系１０２２を介して放出された光の光度は、理想的な拡散ラジエーターから観察すると、入射光の方向と表面法線との間の角度の余弦に正比例する。一次光学系１０２２の１つ又は複数の特性を変更して、ランバート分布パターンとは異なる光分布パターンを生成することができることが理解されよう。
【００２１】
レンズ１０６５及び導波路１０６２の一方又は両方を含む二次光学系には、ピクセル１０１０、１０２０、及び／又は１０３０を設けることができる。二次光学系が、図１Ｂに示される例に従って複数のピクセルを含んだ状態で議論されるが、二次光学系は、単一のピクセルで提供され得る。二次光学系を使用して、入射光を広げる（発散光学系）、又は入射光を平行ビームに集める（コリメート光学系）ことができる。導波路１０６２は、誘電材料、メタライゼーション層等でコーティングしてもよく、且つ入射光を反射又は方向転換するために提供してもよい。代替実施形態では、照明システムは、波長変換層１０５０、一次光学系１０２２、導波路１０６２、及びレンズ１０６５のうちの１つ又は複数を含まなくてもよい。
【００２２】
レンズ１０６５は、ＳｉＣ、酸化アルミニウム、ダイヤモンド等、又はこれらの組合せ等であるがこれらに限定されない任意の適用可能な透明材料から形成することができる。レンズ１０６５は、レンズ１０６５からの出力ビームが所望の測光仕様に効率的に適合するように、レンズ１０６５に入力される光ビームを修正するために使用してもよい。さらに、レンズ１０６５は、複数のＬＥＤデバイス２００Ｂの点灯及び／又は消灯の外観を決定等することによって、１つ又は複数の審美的目的を果たすことができる。
【００２３】
図１Ｃは、ＬＥＤアレイ１１００の３次元ビューの断面図を示す。図示されるように、ＬＥＤアレイ１１００内のピクセルは、トレンチによって分離され得、トレンチは、ｎ型コンタクト１１４０を形成するために充填される。ピクセルは、基板１１１４上で成長され得、ｐコンタクト１１１３、ｐ型ＧａＮ半導体層１１１２、活性領域１１１１、ｎ型ＧａＮ半導体層１１１０を含み得る。この構造は、単なる例として提供されており、１つ又は複数の半導体又は他の適用可能な層を追加、除去、或いは部分的に追加、又は除去して、本明細書で提供される本開示を実施することができることが理解されよう。波長変換層１１１７は、半導体層１１１０（又は他の適用可能な層）上に堆積してもよい。
【００２４】
図示されるように、パッシベーション層１１１５が、トレンチ１１３０内に形成され得、ｎ型コンタクト１１４０（例えば、銅コンタクト）が、トレンチ１１３０内に堆積され得る。パッシベーション層１１１５は、ｎ型コンタクト１１４０の少なくとも一部を半導体の１つ又は複数の層から分離することができる。実施態様によれば、トレンチ内のｎ型コンタクト１１４０又は他の適用可能な材料は、ｎ型コンタクト１１４０又は他の適用可能な材料がピクセル同士の間に完全又は部分的な光学的分離を提供するように、波長変換層１１１７内に延びることができる。
【００２５】
図１Ｄは、本明細書で開示される主題による、ピクセルアレイ内にピクセルを生成するための方法１２００を示す。そのようなピクセルアレイ内のピクセルは、３００ミクロン以下の大きさであり得、３００ミクロン以下の範囲のピクセルに特有の側壁材料の堆積技術が、動的な光アイソレーション材料を堆積するために使用され得る。ステップ１２１０に示されるように、動的な光アイソレーション材料が、ピクセルアレイ内のピクセルのピクセル側壁に取り付けられ得る。取り付けられるという用語が使用されているが、取り付けられるという用語は、その上に形成される、成長する、接続される、接触する等として適用され得ることが理解されよう。ステップ１２２０において、状態トリガが、動的な光アイソレーション材料において受け取られ得る。状態トリガは、信号又は特性の変化（温度変化等であるが、これに限定されない）であり得る。状態トリガは、マイクロプロセッサ又はコントローラの電子部品、ピクセルアレイ内のピクセル等によって提供してもよく、又はピクセルアレイ内の他のピクセルによって生成してもよい。ステップ１２３０において、動的な光アイソレーション材料の光学的状態は、受け取った状態トリガに基づいて変化し得る。光学的状態の変化は、動的な光アイソレーション材料が光学的状態の変化前に光と相互作用する方法とは異なる方法で光と相互作用するように動的な光アイソレーション材料を構成することができる。ステップ１２４０において、放出された光は動的な光アイソレーション材料において受け取ることができ、動的な光アイソレーション材料は、ステップ１２５０でのその光学的状態に基づいて光に影響を与えることができる。放出光は、動的な光アイソレーション材料が取り付けられるピクセルによって生成してもよく、又は別のピクセルによって生成してもよい。
【００２６】
本明細書に開示される動的な光アイソレーション材料の結果として、ピクセルアレイの効率が向上し得る。動的な光アイソレーション材料が、所与のピクセルからの光がその側壁を介してピクセル同士の間のレーン内に、及びオフになっている隣接又は近接ピクセル内に放出されるのを防ぎ、意図しないクロス照明効果を緩和又は防止するため、クロストークを低減又は排除できる。さらに、動的な光アイソレーション材料は、セグメント化された光を放出するピクセルアレイのコントラストを改善し、それによって互いに隣接又は近接する２つ以上のピクセルの間に境界がより明確になり得る。
【００２７】
あるいはまた、ピクセルアレイの効率は、隣接するピクセルに電源が投入されたとき等に、ピクセル同士の間の分離が低減又は排除された結果として改善され得る。動的な光アイソレーション材料は、光が側壁を通過できるように構成され得、それによってピクセルアレイ又はピクセルアレイのセグメントが、例えば、ピクセル同士の間のレーン内に及び隣接及び近接するピクセル内に光を放出することにより、より均一な光を放出し、均一又は勾配ベースの光の変化を提供するように構成され得る。
【００２８】
図１Ｄのステップ１２１０によれば、図１Ｅにも示されるように、動的な光アイソレーション材料１３２０は、ピクセルアレイ１３００内のピクセル１３１５の側壁に取り付けられ得る。図１Ａ及び図１Ｂに示されるように、ピクセルは、３００ミクロン以下の幅であり得、例えば１００ミクロン幅又は８０ミクロン幅であり得る。動的な光アイソレーション材料１３２０は、ピクセル同士の間に形成されたレーン内の全部又は一部のスペースを占めることができ、レーンは、例えば２０ミクロン幅であってもよい。動的な光アイソレーション材料１３２０は、スクリーン印刷、コンタクト印刷、ドリップコーティング、スプレーコーティング、リソグラフィー等を含む任意の適用可能な技術を使用して、ピクセル１３１５の側壁に取り付けることができる。
【００２９】
動的な光アイソレーション材料１３２０は、サーモクロミック材料、サーモトロピック材料、エレクトロクロミック材料、又はフォトクロミック材料であり得る。
【００３０】
サーモクロミック材料は、温度変化の結果として光学特性を変化させることができ、具体的には、温度変化の結果として不透明状態から透明状態に変化し得る。サーモクロミック材料の光学特性の変化は可逆的であり得る。例えば、サーモクロミック材料は、材料の温度が温度Ｘを超えて上昇すると、光学的状態Ａから光学的状態Ｂに変化し得る。温度が温度Ｘ又は別のしきい値温度Ｙを下回るように冷却されると、サーモクロミック材料は、光学的状態Ａに戻ように変化する。サーモクロミック材料において変化し得る光学特性には、色の変化及びそれぞれの不透明度／透明度が含まれる。サーモクロミック材料は、ロイコ（leuco）染料を含み得、ロイコ染料は、構造化エポキシ、構造化ポリマー、又は均質構造化材料中に提供されて、動的な光アイソレーション材料１３２０を形成する。
【００３１】
サーモクロミック材料は、しきい値温度でその光学的状態を変化させることができる。サーモクロミック材料は、染料吸収材料を含むことができ、それによってサーモクロミック材料に到達する光がその吸収材料と衝突し、結果としてサーモクロミック材料を通過して放出されるのを部分的又は完全に防止する。例えば、光は、吸収材料と衝突して光子を吸収し得、それにより、サーモクロミック材料を部分的又は完全に通過する代わりに、サーモクロミック材料に色を含む。従って、サーモクロミック材料は、光が材料を通過しない可能性があるため、不透明状態を示す。サーモクロミック染料は、構造化ポリマーのシェルであるカプセル内のワックス及び顕色剤でカプセル化することができる。ワックスが固体状態の場合に、顕色剤及び染料が会合し、サーモクロミック材料が着色し得る。ワックスは、しきい値温度で溶けるように構成することができ、吸収材料は、溶けたバインダーワックスに溶解するように構成することができる。サーモクロミック材料に到達する光が吸収材料と相互作用しないので、吸収材料の溶解は光学的状態の変化をもたらす。その結果、光はサーモクロミック材料を通過し、サーモクロミック材料を透明状態にすることができる。
【００３２】
サーモトロピック材料は、温度変化の結果として光学特性を変化させることができ、特に温度変化の結果として光散乱特性を変化させることができる。サーモトロピック材料の光学特性の変化は可逆的であり得る。サーモトロピック材料は、シリコーン又は他の有機ポリマー中の金属酸化物ビーズ、シリコーン又は他の有機ポリマー中の多孔質金属酸化物ビーズ、シリコーン又はポリマーマトリックス中の相変化材料、シリコーン又はポリマーマトリックス中の液晶カプセル等を含み得る。サーモトロピック材料は、屈折率の変化に基づいて確立される光散乱変調を与えるように構成してもよい。一例として、サーモトロピック材料は、ワックスが固体である場合に高い散乱特性を示す結晶性パラフィンワックスを含み得る。ワックスは、しきい値温度で溶けるように構成され得、その結果、溶けたワックスは散乱特性が低いか又は全くないため、散乱が低くなる又は非散乱状態になる。
【００３３】
サーモトロピック材料における光散乱変調は、例えば、高いｄｎ／ｄｔを有するシリコーン等の、有機ポリマーと、金属酸化物との混合物における温度の関数としての屈折率差の変化に基づいて確立することができる。あるいはまた、温度感受性液晶材料は、しきい値温度で等方相に転移し得る。あるいはまた、又はさらに、サーモトロピック材料は、その多孔質構造の結果として多数の界面を含む多孔質シリカ材料を含み得る。細孔は、例えばシリコーンで満たされ得、多孔質シリカを含むサーモトロピック材料は、材料の温度がしきい値温度に達すると、散乱状態から低散乱状態又は非散乱状態に変化し得る。シリコーンとシリカとの間の屈折率の差が小さくなるように、シリコーンの屈折率がしきい値温度で減少するため、散乱は減少し得、こうして、しきい値温度で又はしきい値温度を超えると、散乱が少なくなる。多孔質シリカは、５０〜１４００ｎｍの開気孔率を有し得る。
【００３４】
代替構成では、サーモトロピック材料は、塩の水和及び脱水特性に基づいて散乱特性を変化させるように構成される塩を含み、それによって、より高い温度で塩を脱水させ、より高い散乱をもたらすことができる。
【００３５】
エレクトロクロミック材料は、エレクトロクロミック材料に印可された電荷の結果として光学特性を変化させて、電気化学的レドックス（redox）反応を生じさせ得る。エレクトロクロミック材料の光学特性の変化は可逆的であり得る。エレクトロクロミック材料は、酸化タングステンを含む遷移金属酸化物、ＮｉＯ材料、ポリアニリン、ビオロゲン、ポリオキソタングステート等を含み得る。エレクトロクロミック材料は、電荷が材料に印可された結果として、透明状態、不透明状態、又は反射状態への変化を含むように光学特性を変化させ得る。一例として、エレクトロクロミック材料に関連して電極に電圧が印加されると、イオンは、ある電極位置から別の電極位置に移動し得る。移動により、エレクトロクロミック材料内の粒子が透明状態から反射状態に変化し得る。あるいはまた、又はさらに、エレクトロクロミック材料は、電流がダイを通過するときに状態を変化させるダイ（die）を含み得る。
【００３６】
フォトクロミック材料は、フォトクロミック材料に適用される光強度の変化の結果として光学特性を変化させ得る。具体的には、フォトクロミック材料は、材料に適用された光の変化の結果として、非透明状態から透明状態に変化し得る。フォトクロミック材料の光学特性の変化は可逆的であり得る。例えば、フォトクロミック材料は、紫外光が材料内に放出されると、光学的状態Ａから光学的状態Ｂに変化し得る。紫外光が取り除かれると、フォトクロミック材料は、光学的状態Ａを示す状態に戻り得る。特定の例として、フォトクロミック材料は、材料に光が入射しない場合に、不透明状態を示し得る。ピクセルが活性化されてピクセルが青色光を放出するとき、青色光はフォトクロミック材料に到達し、フォトクロミック材料はその光学的状態を透明状態に変化させて、ピクセルからの光が材料を通して発光するようにする。
【００３７】
動的な光アイソレーション材料１３２０は、ピクセルの発光構成要素の全て又は一部、及びピクセルの波長変換層の全て又は一部に取り付けられるように、ピクセル側壁に取り付けられ得る。例示的なピクセルアレイが図１Ｉに示されており、且つここでより詳細に説明される。
【００３８】
図１Ｄのステップ１２２０において、図１Ｅ及び３ｂに示されるように、状態トリガは、動的な光アイソレーション材料１３２０において受け取られ得る。状態トリガは、条件、特性変化、信号等であり得、且つ光学的アドレス指定、電気的アドレス指定、又は温度変化等の形態で受け取られ得る。光学的アドレス指定は、動的な光アイソレーション材料上にＵＶ光を放出する等の光ベースのトリガであり得る。電気的アドレス指定は、動的な光アイソレーション材料に印加される電圧又は電流に基づき得る。温度変化は、加熱又は冷却構成要素によって、又はスイッチがオンにされたときに隣接又は近接するピクセルを含むピクセルアレイ構成要素によって生成された熱によって引き起こされ得る。
【００３９】
状態トリガは、第１の材料の状態トリガが第２の材料の状態トリガではないように、動的な光アイソレーション材料に依存し得る。一例として、しきい値温度Ｘへの温度上昇は、サーモクロミック性の動的な光アイソレーション材料の状態トリガとなり得るが、エレクトロクロミック性の動的な光アイソレーション材料の状態トリガとなり得ない。あるいはまた、例として、電荷の印可は、エレクトロクロミック性の動的な光アイソレーション材料の状態トリガとなり得るが、同じ電荷の印可は、サーモクロミック性の動的な光アイソレーション材料の状態トリガとなり得ない。
【００４０】
状態トリガは、明示的に提供してもよいし、暗黙的に提供してもよい。明示的に提供される状態トリガは、明示的な状態トリガを提供するように構成されたピクセル又は外部マイクロコントローラ、センサ、又は任意のコンポーネントによって開始され得る。一例として、マイクロコントローラは、エレクトロクロミック性の動的な光アイソレーション材料に印可される電荷を開始するように構成され得る。マイクロコントローラは、動的な光アイソレーション材料の光学的状態を変化させるための信号又は決定に基づいて、電荷を開始することができる。別の例として、ＵＶ発光素子は、動的な光アイソレーション材料の光学的状態を変化させるための信号又は決定に基づいて、フォトクロミック材料においてＵＶ光を放出し得る。
【００４１】
条件の変化の結果として、暗黙的に提供される状態トリガが開始され得る。一例として、ピクセルアレイ内の第１のピクセル行は、非活性化モードから活性化モードに変化し得る。活性化モードのピクセルは、発光の副産物として熱を発生させ得る。熱により、温度Ｘを超える温度上昇が生じる可能性があり、第１のピクセル行に隣接する第２のピクセル行に取り付けられたサーモトロピック性の動的な光アイソレーション材料に状態トリガを提供する。隣接するピクセルが光学的状態を変化させるための状態トリガを提供するべく、しきい値温度Ｘを超えて温度を上昇させるしきい値量の熱を生成するために、複数のピクセルが必要になり得る。
【００４２】
ピクセルに取り付けられた動的なアイソレーション材料に関する暗黙的な状態トリガは、ピクセル自体によって与えてもよい。一例として、所与のピクセルによって生成された熱は、活性化されると、その熱が動的な光アイソレーション材料の温度を、しきい値温度Ｘを発生させる状態トリガを超えて上昇させる可能性があるので、暗黙的な状態トリガを提供することができる。例として、温度Ｘは、４０℃〜１５０℃の間であり得る。
【００４３】
ピクセルに取り付けられた動的なアイソレーション材料に関する暗黙的な状態トリガは、ピクセル自体と１つ又は複数の隣接又は近接ピクセルとの組合せによって提供することができる。例として、所与のピクセルだけで生成された熱は、活性化されたとき、その動的なアイソレーション材料の温度を、しきい値温度Ｘを超えて上昇させるのに十分ではない可能性がある。しかしながら、活性化されたピクセルによって生成された熱と隣接するピクセルによって生成された熱との組合せは、動的な光アイソレーション材料の温度を、しきい値温度Ｘを発生させる状態トリガを超えて上昇させ得る。さらに、隣接又は近接ピクセルの動的な光アイソレーション材料が同じ特性を有する場合に、そのようなピクセルの動的な光アイソレーション材料は、それぞれ、同じ状態トリガに基づいて光学的状態を変化させることができる。
【００４４】
図１Ｄのステップ１２３０において、動的な光アイソレーション材料の光学的状態は、受け取った状態トリガに基づいて変化し得る。光学的状態の変化は、動的な光アイソレーション材料が、透明状態、非透明又は吸収状態、散乱状態、非散乱状態、又は反射状態等の１つ又は複数の状態の間で切り替わる結果となり得る。光学的状態の変化は、第１の状態から第２の状態への実質的な変化であり得るが、全か無か（all-or-nothing）のバイナリのオン／オフ指定である必要はないことが理解されよう。例えば、動的な光アイソレーション材料は、材料が９５％透明であるように、不透明状態から透明状態に変化し得る。特に、動的な光アイソレーション材料は、依然として光の５％が放出されるのを防ぎ得るが、材料が実質的に透明であることが理解されよう。本明細書では非限定的な９５％／５％の例が使用されるが、状態の変化のパーセンテージ又は基準は、動的な光アイソレーション材料のタイプ、光学的状態、又はピクセルアレイの用途等に依存し得ることも理解されよう。
【００４５】
図１Ｅは、ピクセル１３１５を有するピクセルアレイ１３００を示しており、ピクセル１３１５は、動的な光アイソレーション材料１３２０を含む側壁を有する。図１Ｅの動的な光アイソレーション材料１３２０は、暗い動的な光アイソレーション材料１３２０によって表されるように不透明状態であり得る。状態トリガは、動的な光アイソレーション材料において受け取られ得、状態トリガは、例えば、しきい値温度Ｘまで加熱される動的な光アイソレーション材料であり得る。状態トリガは、動的な光アイソレーション材料１３２０でのしきい値温度Ｘへの明示的な温度上昇であり得、加熱機構によって引き起こされ得る。あるいはまた、状態トリガは、ピクセル１３１５が活性化され、ピクセルによって放散された熱によって光アイソレーション材料１３２０の温度をしきい値温度Ｘに到達させ得るような暗黙的なトリガであり得る。
【００４６】
図１Ｆは、動的な光アイソレーション材料１３２０の光によって表されるような、動的な光アイソレーション材料１３２０が透明状態であるピクセルアレイを示す。図１Ｅの不透明状態から図１Ｆの透明状態への変化は、動的な光アイソレーション材料１３２０の温度がしきい値温度Ｘを超えて到達したことの暗黙的又は明示的な状態トリガの結果であり得る。
【００４７】
図１Ｇは、マトリクス状に配置された複数のピクセルを含むピクセルアレイ１４００を示す。マトリクスピクセル配置が示されているが、本開示は、互いに隣接又は近接するピクセルを含むように構成された任意のピクセルアレイに適用してもよいことが理解されよう。ピクセルアレイ１４００は、アレイの異なるセグメントが互いに独立して動作され得るようにセグメント化され得る。一例として、図１Ｇに示されるように、ピクセルアレイ１４００は、独立して動作する３つのセグメント１４１０、１４２０、及び１４３０を含み得る。この例では特定のセグメントが示されているが、特定のセグメントを所与の用途に利用でき、且つ別の用途のために同じピクセルアレイをセグメント毎に異なるピクセルで異なる方法でセグメント化できるようにセグメントの配置を動的にすることができる。
【００４８】
一例として、ピクセルアレイ１４００は、自動車の前向き（front facing）照明システムに対応し得る。動的な光アイソレーション材料１４１５、１４２５、及び１４３５は、サーモクロミック材料を含み得る。ピクセルアレイは、対向車の位置を検出するように構成された自動車センサから入力を受け取り、対向車に又は対向車に向けて光を放出せずに、ピクセルアレイから放出された光が運転者のシーンを照らすようにピクセルを活性化させ得る。自動車センサからの入力に基づいて、セグメント１４１０及び１４２０のピクセルが活性化され得、セグメント１４３０のピクセルが非活性化され得る。動的な光アイソレーション材料１４１５、１４２５、及び１４３５は、しきい値温度Ｘ未満の不透明状態からしきい値温度Ｘ以上の透明状態に変化するように構成されたサーモクロミック材料であり得る。セグメント１４１０及び１４２０の活性化ピクセルは、動的な光アイソレーション材料１４１５及び１４２５の温度がしきい値温度Ｘまで上昇するように熱を発生させ得る。セグメント１４３０内の非活性化ピクセルに隣接する動的な光アイソレーション材料１４３５の温度は、しきい値温度Ｘ未満のままであり得る。その結果、図１Ｇに示されるように、動的な光アイソレーション材料１４１５及び１４２５は、不透明な光学的状態から透明な光学的状態に変化し得る。動的な光アイソレーション材料１４３５は、不透明な光学的状態のままであり得る。この構成により、発光素子からの光が活性化ピクセルの側壁を通過して隣接又は近接ピクセルに向かうことができるので、セグメント１４１０及び１４２０によってより均一な光を放出することができる。この構成により、セグメント１４１０及び１４２０の活性化ピクセルとセグメント１４３０の非活性化ピクセルとの間にクロストークがないように、セグメント１４１０及び１４２０のエッジで鋭いコントラストを提供することもできる。
【００４９】
別の例として、ピクセルアレイ１４００は、街路灯パネルに対応し得る。動的な光アイソレーション材料１４１５、１４２５、及び１４３５は、フォトクロミック材料を含み得る。さらに、動的な光アイソレーション材料１４１５、１４２５、及び１４３５は、ＵＶ光が放出されないときの不透明状態からＵＶ光が放出されるときの透明状態に変化するように構成されたフォトクロミック材料であり得る。ピクセルアレイは、対応する通りの歩行者の交通パターンに基づいて、どのピクセルセグメントを照らすべきかに関する入力をコントローラから受け取ることができる。コントローラからの入力に基づいて、ＵＶ発光素子は、セグメント１４１０及び１４２０のピクセルでＵＶ光を放出することができ、ＵＶ光は、セグメント１４３０のピクセルでは放出されない。結果として、図１Ｇに示されるように、動的な光アイソレーション材料１４１５及び１４２５は、不透明な光学的状態から透明な光学的状態に変化し得る。動的な光アイソレーション材料１４３５は、不透明な光学的状態のままであり得る。この構成により、発光素子からの光が活性化ピクセルの側壁を通過して隣接又は近接ピクセルに向かうことができるので、セグメント１４１０及び１４２０によってより均一な光を放出することができる。この構成により、セグメント１４１０及び１４２０の活性化ピクセルとセグメント１４３０の非活性化ピクセルとの間にクロストークがないように、セグメント１４１０及び１４２０のエッジで鋭いコントラストを提供することもできる。
【００５０】
図１Ｈに示されるように、複数の動的な光アイソレーション材料１５２１及び１５２２は、ピクセル１５１０の側壁に取り付けられ得る。複数の動的な光アイソレーション材料１５２１及び１５２２は、例えばサーモトロピック材料及びサーモクロミック材料等の異なるタイプの材料であり得る。あるいはまた、複数の動的な光アイソレーション材料１５２１及び１５２２は、異なる光学特性を有する同じタイプの材料であってもよい。一例として、材料１５２１及び１５２２は両方とも、材料１５２１が材料１５２２よりも低いしきい値温度で光学的状態を変化させることができるように、サーモクロミックであり得る。複数の動的な光アイソレーション材料によって、単一の材料と比べたときに、より精密な光制御が可能になる。一例として、材料１５２１はサーモクロミックであり得、材料１５２２はサーモトロピックであり得る。温度Ｘは、サーモクロミック材料１５２１が透明状態に変化し、サーモトロピック材料１５２２が非散乱状態に変化することができるように、材料１５２１及び１５２２と両方の状態トリガであり得る。透明状態及び非散乱状態は、ピクセル１５１０によって放出された光が、側壁を通って、他の隣接又は近接するピクセルに向けて出るのを可能にし得る。温度Ｘ未満の温度の低下は、材料１５２１及び材料１５２２の両方の第２の状態トリガを開始し、サーモクロミック材料１５２１が不透明状態に入り、サーモトロピック材料１５２２が反射状態に入り得る。サーモクロミック材料１５２１の不透明状態は、ピクセル１５１０によって放出された光が側壁を介してピクセルを出るのを防ぐことができる。サーモトロピック材料１５２２の反射状態は、光が材料１５２２に到達したときに、隣接するピクセルによって放出された光をピクセル１５１０から離れる方向に反射させることができる。２つの動的な光アイソレーション材料の結果として生じる複合効果は、外部光がピクセル１５１０の側壁から離れる方向に放出され、内部光がその側壁を介してピクセル１５１０を出ないようにし得る。
【００５１】
一実施形態によれば、複数の動的な光アイソレーション材料１５３０及び１５３１が、ピクセル１５１０の非側壁面（例えば、上面、底面等）に取り付けられ得る。複数の動的な光アイソレーション材料１５３０及び１５３１は、図示されるように、単一の層又は材料であり得るか、又は異なる材料であり得る。複数の動的な光アイソレーション材料１５３０及び１５３１は、材料１５２１及び１５２２と同時に、又は異なる時間に堆積され得る。複数の動的な光アイソレーション材料１５３０及び１５３１は、例えばサーモトロピック材料及びサーモクロミック材料等の異なるタイプの材料であってもよい。あるいはまた、複数の動的な光アイソレーション材料１５３０及び１５３１は、異なる光学特性を有する同じタイプの材料であってもよい。一例として、動的な光アイソレーション材料１５３０及び１５３１は両方とも、動的な光アイソレーション材料１５３１が材料１５３０よりも低いしきい値温度で光学的状態を変化させることができるように、又はその逆であるように、サーモクロミックであり得る。複数の動的な光アイソレーション材料１５３０及び１５３１は、クロストークを低減させることができ、及び／又はピクセル１５１０のオン状態とオフ状態との間で交互に使用することができる。
【００５２】
図１Ｉは、本明細書に開示される技術に従って製造されたピクセル１６７５と、ＧａＮ層１６５０、活性領域１６９０、はんだ１６８０、及びパターンサファイア基板（ＰＳＳ）パターン１６６０を含む発光デバイス１６７０とを含む、ピクセルアレイ１６００の例を示す。図示されるように、波長変換層１６２０は、発光デバイス１６７０上に取り付けられ得る。
【００５３】
波長変換層は、光の１つ又は複数の特性を変換するように構成された材料を含み得る。波長変換層は、限定はしないが、その波長、その位相等の光の特性を変換することができる。波長変換層は、波長変換層内の１つ又は複数の粒子と入射光との衝突、それに続く光子放出に基づいて、光の特性を変換することができる。
【００５４】
波長変換層は、希土類イオンによる活性化を踏含む又は含まない蛍光体粒子、蛍光体分散ガラス（ＰｉＧ）、蛍光体分散シリコン、セラミック蛍光体、ホウ酸亜鉛バリウム、（Ｙ，Ｇｄ）３（ＡｌＧａ）５Ｏ１２：Ｃｅ等のＣｅ（ＩＩＩ）でドープされたガーネット材料、窒化アルミニウム、酸窒化アルミニウム（ＡｌＯＮ）、硫酸バリウム、チタン酸バリウム、チタン酸カルシウム、立方晶ジルコニア、ダイヤモンド、ガドリニウムガリウムガーネット（ＧＧＧ）、ジルコン酸チタン酸ランタン鉛（ＰＬＺＴ）、ジルコン酸チタン酸鉛（ＰＺＴ）、サファイア、シリコン酸窒化アルミニウム（ＳｉＡｌＯＮ）、炭化シリコン、酸窒化シリコン（ＳｉＯＮ）、チタン酸ストロンチウム、酸化チタン、イットリウムアルミニウムガーネット（ＹＡＧ）、セレン化亜鉛、硫化亜鉛、及びテルル化亜鉛、ダイヤモンド、炭化ケイ素（ＳｉＣ）、単結晶窒化アルミニウム（ＡｌＮ）、窒化ガリウム（ＧａＮ）、又は窒化アルミニウムガリウム（ＡｌＧａＮ）、又は透明、半透明、又は散乱セラミック、光学ガラス、高屈折率ガラス、サファイア、アルミナ、リン化ガリウム等のＩＩＩ−Ｖ族半導体、硫化亜鉛、セレン化亜鉛、及びテルル化亜鉛等のＩＩ−ＶＩ族半導体、ＩＶ族半導体及び化合物、金属酸化物、金属フッ化物、以下のいずれかの酸化物（アルミニウム、アンチモン、ヒ素、ビスマス、カルシウム、銅、ガリウム、ゲルマニウム、ランタン、鉛、ニオブ、リン、テルル、タリウム、チタン、タングステン、亜鉛、又はジルコニウム）、多結晶酸化アルミニウム（透明アルミナ）、酸窒化アルミニウム（ＡｌＯＮ）、立方晶ジルコニア（ＣＺ）、ガドリニウムガリウムガーネット（ＧＧＧ）、リン化ガリウム（ＧａＰ）、チタン酸ジルコン酸鉛（ＰＺＴ）、酸窒化シリコンアルミニウム（ＳｉＡｌＯＮ）、炭化シリコン（ＳｉＣ）、酸窒化シリコン（ＳｉＯＮ）、チタン酸ストロンチウム、イットリウムアルミニウムガーネット（ＹＡＧ）、硫化亜鉛（ＺｎＳ）、スピネル、ショットグラスＬａＦＮ２１、ＬａＳＦＮ３５、ＬａＦ２、ＬａＦ３、ＬａＦ１０、ＮＺＫ７、ＮＬＡＦ２１、ＬａＳＦＮ１８、ＳＦ５９、又はＬａＳＦ３、OharaガラスＳＬＡＭ６０又はＳＬＡＨ５１等の適用可能な発光又は光散乱材料を含むことができ、及び窒化物発光材料、ガーネット発光材料、オルトケイ酸塩発光材料、ＳｉＡｌＯＮ発光材料、アルミン酸塩発光材料、酸窒化物発光材料、ハロゲン化物発光材料、酸ハロゲン化物発光材料、硫化物発光材料及び／又は酸硫化物発光材料、硫化カドミウム、セレン化カドミウム、硫化亜鉛、セレン化亜鉛から選択されるコア材料を含む発光量子ドットを含むことができ、ＳｒＬｉＡｌ３Ｎ４：Ｅｕ（ＩＩ）（ストロンチウム−リチウム−窒化アルミニウム：ユーロピウム（ＩＩ））クラス、Ｅｕ（ＩＩ）ドープ化窒化物蛍光体（（Ｂａ，Ｓｒ，Ｃａ）２Ｓｉ５−ｘＡｌｘＯｘＮ８：Ｅｕ，（Ｓｒ，Ｃａ）ＳｉＡｌＮ３：Ｅｕ、又はＳｒＬｉＡｌ３Ｎ４：Ｅｕ、又はそれらの任意の組合せから選択され得る。
【００５５】
動的な光アイソレーション材料１６３０は、波長変換層１６２０に適用してもよい。波長変換層１６２０は、パターンサファイア基板（ＰＳＳ）パターン１６６０を介してＧａＮ層１６５０上に取り付けられ得る。ＧａＮ層１６５０は、活性領域１６９０に接合され又は活性領域１６９０の上で成長され、発光デバイス１６７０をはんだ７８０に接続することができる。動的な光アイソレータ材料１６４０を、ＧａＮ層１６５０の側壁に適用することもできる。
【００５６】
例として、図１Ｉのピクセル１６７５は、図１Ａのピクセル１１１に対応し得る。具体的には、図１Ａに示されるように、ピクセル１１１は、波長変換層１６２０が発光デバイス１６７０上に取り付けられた後の図１Ｉのピクセル１６７５に対応し得る。ピクセル１１１又は１６７５が活性化されると、ピクセルのそれぞれの活性領域１６９０は、光を生成することができる。光は、波長変換層１６２０を通過し得、且つ波長変換層１６２０の表面から実質的に放出され得る。動的な光アイソレーション材料１６３０及び／又は１６４０に到達する光は、材料が透明状態の場合に、動的な光アイソレーション材料１６３０及び／又は１６４０を通過し得る。あるいはまた、又はさらに、光は、動的な光アイソレーション材料１６３０及び／又は１６４０の光学的状態に基づいて、変更、吸収、反射、又は他に変更され得る。
【００５７】
図２Ａは、一実施形態における、ＬＥＤデバイスの取付け領域３１８で基板に取り付けられたＬＥＤアレイ４１０を含む電子回路基板の上面図である。電子回路基板は、ＬＥＤアレイ４１０と共に、ＬＥＤシステム４００Ａを表す。さらに、電源モジュール３１２は、Ｖｉｎ４９７での電圧入力と、トレース４１８Ｂを介して接続及び制御モジュール３１６からの制御信号とを受け取り、トレース４１８Ａを介してＬＥＤアレイ４１０に駆動信号を与える。ＬＥＤアレイ４１０は、電源モジュール３１２からの駆動信号を介してオン及びオフにされる。図２Ａに示される実施形態おいて、接続及び制御モジュール３１６は、トレース４１８Ｃを介してセンサモジュール３１４からセンサ信号を受け取る。ＬＥＤアレイ４１０内のピクセルは、図１Ｄのステップに従って及び図１Ｅ〜図１Ｈに示されるように、形成することができる。
【００５８】
図２Ｂは、回路基板４９９の２つの面に電子部品が取り付けられた２チャネル統合型ＬＥＤ照明システムの一実施形態を示している。図２Ｂに示されるように、ＬＥＤ照明システム４００Ｂは、調光器信号及びＡＣ電力信号を受け取るための入力と、それに取り付けられたＡＣ／ＤＣコンバータ回路４１２とを有する第１の面４４５Ａを含む。ＬＥＤシステム４００Ｂは、調光器インターフェイス回路４１５、ＤＣ−ＤＣコンバータ回路４４０Ａ及び４４０Ｂ、マイクロコントローラ４７２を有する接続及び制御モジュール４１６（この例では無線モジュール）、及びその上に取り付けられたＬＥＤアレイ４１０を有する第２の面４４５Ｂを含む。ＬＥＤアレイ４１０は、２つの独立したチャネル４１１Ａ及び４１１Ｂによって駆動される。代替実施形態では、単一のチャネルを使用して駆動信号をＬＥＤアレイに与えるか、又は任意数の複数のチャネルを使用して駆動信号をＬＥＤアレイに与えることができる。
【００５９】
ＬＥＤアレイ４１０は、２つのグループのＬＥＤデバイスを含み得る。例示的な実施形態では、グループＡのＬＥＤデバイスは第１のチャネル４１１Ａに電気的に結合され、グループＢのＬＥＤデバイスは第２のチャネル４１１Ｂに電気的に結合される。２つのＤＣ−ＤＣコンバータ４４０Ａ及び４４０Ｂのそれぞれは、ＬＥＤアレイ４１０内のそれぞれのＬＥＤグループＡ及びＢを駆動するために、単一のチャネル４１１Ａ及び４１１Ｂをそれぞれ介したそれぞれの駆動電流を供給し得る。ＬＥＤのグループ内の１つにおけるＬＥＤは、第２のＬＥＤグループ内のＬＥＤとは異なるカラーポイントを有する光を放出するように構成され得る。ＬＥＤアレイ４１０によって放出される光の複合カラーポイントの制御は、単一のチャネル４１１Ａ及び４１１Ｂをそれぞれ介して個々のＤＣ−ＤＣコンバータ回路４４０Ａ及び４４０Ｂによって印可される電流及び／又はデューティサイクルを制御することによって、範囲内で調整され得る。図２Ｂに示される実施形態が（図２Ａに記載されるような）センサモジュールを含まないが、代替実施形態は、センサモジュールを含み得る。
【００６０】
図示のＬＥＤ照明システム４００Ｂは、ＬＥＤアレイ４１０及びＬＥＤアレイ４１０を動作させるための回路が単一の電子回路基板上に設けられる統合システムである。回路基板４９９の同じ面上のモジュール同士の間の接続は、例えば、トレース４３１、４３２、４３３、４３４、及び４３５又はメタライゼーション（図示せず）等の表面又は表面下相互接続によって、モジュール同士の間の電圧、電流、及び制御信号を交換するために電気的に結合され得る。回路基板４９９の対向する表面上のモジュール同士の間の接続は、ビア及びメタライゼーション（図示せず）等の基板相互接続を介して電気的に結合され得る。
【００６１】
実施形態によれば、ＬＥＤシステムは、ＬＥＤアレイがドライバ及び制御回路とは別の電子回路基板上にある場合に提供され得る。他の実施形態によれば、ＬＥＤシステムは、ドライバ回路とは別の電子回路基板上のいくつかの電子回路と共にＬＥＤアレイを有し得る。例えば、ＬＥＤシステムは、ＬＥＤアレイとは別の電子回路基板上に配置された電力変換モジュール及びＬＥＤモジュールを含み得る。
【００６２】
実施形態によれば、ＬＥＤシステムは、マルチチャネルＬＥＤドライバ回路を含み得る。例えば、ＬＥＤモジュールは、埋め込まれたＬＥＤ較正及び設定データ、及び例えば３つのＬＥＤグループを含み得る。当業者は、任意数のＬＥＤグループを１つ又は複数の用途と一致して使用し得ることを認識するであろう。各グループ内の個々のＬＥＤは、直列又は並列に配置してもよく、異なるカラーポイントを有する光が提供され得る。例えば、暖色系の白色光が第１のＬＥＤグループによって提供され得、寒色系の白色光が第２のＬＥＤグループによって提供され得、そしてニュートラルな白色光が第３のグループによって提供され得る。
【００６３】
図２Ｃは、車両電源３０２及びデータバス３０４を含む例示的な車両ヘッドランプシステム３００を示す。センサモジュール３０７は、データバス３０４に接続されて、環境条件（例えば、周囲の光条件、温度、時間、雨、霧等）、車両の状態（駐車中、移動中、速度、方向）、他の車両、歩行者、物体の存在／位置等に関するデータを提供することができる。センサモジュール３０７は、図２Ａのセンサモジュール３１４と同様又は同じであってもよい。ＡＣ／ＤＣコンバータ３０５は、車両電源３０２に接続され得る。アクティブヘッドランプ３３０内のピクセルは、図１Ｄのステップに従って及び図１Ｅ〜図１Ｈに示されるように、形成され得る。
【００６４】
図２Ｃの電源モジュール３１２（ＡＣ／ＤＣコンバータ）は、図２ＢのＡＣ／ＤＣコンバータ４１２と同じ又は同様であり得、車両電源３０２からＡＣ電力を受け取り得る。この電源モジュール３１２は、ＡＣ／ＤＣコンバータ４１２に関して図２Ｂに記載されるように、ＡＣ電力をＤＣ電力に変換することができる。車両ヘッドランプシステム３００は、ＡＣ／ＤＣコンバータ３０５、接続及び制御モジュール３０６、及び／又はセンサモジュールによって又はこれらに基づいて提供される１つ又は複数の入力を受け取るアクティブヘッドランプ３３０を含むことができる。一例として、センサモジュール３０７は、歩行者が十分に明るくされないように歩行者の存在を検出することができ、これにより、運転者が歩行者を見る可能性を低減することができる。このようなセンサ入力に基づいて、接続及び制御モジュール３０６は、ＡＣ／ＤＣコンバータ３０５から供給される電力を使用してアクティブヘッドランプ３３０にデータを出力し、出力データがアクティブヘッドランプ３３０内に含まれるＬＥＤアレイのＬＥＤのサブセットを活性化することができる。ＬＥＤアレイ内のＬＥＤのサブセットは、活性化されると、センサモジュール３０７が歩行者の存在を感知した方向に光を放出することができる。これらのＬＥＤのサブセットは、歩行者が車両のヘッドランプシステムを含む車両の経路にもはやいないことを確認する更新されたデータをセンサモジュール２０７が提供した後に、非活性化され得るか、そうでなければそれらの光ビーム方向が変更され得る。
【００６５】
図３は、アプリケーション・プラットフォーム１３６０、ＬＥＤシステム５５２及び５５６、及び光学系５５４及び５５８を含む例示的なシステム１３５０を示す。ＬＥＤシステム５５２及び５５６のアレイ内のピクセルは、図１Ｄのステップに従って及び図１Ｅ〜図１Ｈに示されるように形成され得る。ＬＥＤシステム５５２は、矢印５１６１ａと５１６１ｂとの間に示される光ビーム５１６１を生成する。ＬＥＤシステム５５６は、矢印５１６２ａと５１６２ｂとの間に光ビーム５１６２を生成することができる。図３に示される実施形態では、ＬＥＤシステム５５２から放出された光は二次光学系５５４を通過し、ＬＥＤシステム５５６から放出された光は二次光学系５５８を通過する。代替実施形態では、光ビーム５１６１及び５１６２はいかなる二次光学系も通過しない。二次光学系は、１つ又は複数の光ガイドであり得るか、又はそれを含み得る。１つ又は複数の光ガイドは、エッジ部が照らされてもよく、又は光ガイドの内部エッジを規定する内部開口部を有してもよい。ＬＥＤシステム５５２及び／又は５５６は、１つ又は複数の光ガイドの内部開口部に挿入され、それによって、それらＬＥＤシステム５５２及び／又は５５６が、１つ又は複数の光ガイドの内部エッジ（内部開口光ガイド）又は外部エッジ（エッジ部が照らされる光ガイド）に光を注入するようにできる。ＬＥＤシステム５５２及び／又は５５６のＬＥＤは、光ガイドの一部であるベースの周囲に配置してもよい。一実施態様によれば、ベースは熱伝導性であってもよい。一実施態様によれば、ベースは、光ガイドの上に配置される放熱要素に結合してもよい。放熱要素は、ＬＥＤによって生成された熱を熱伝導性ベースを介して受け取り、受け取った熱を放散するように構成することができる。１つ又は複数の光ガイドは、ＬＥＤシステム５５２及び５５６によって放出された光を、例えば、勾配、面取り分布、狭い分布、広い分布、角度分布等の所望の方法で成形することを可能にする。
【００６６】
例示的な実施形態では、システム１３５０は、カメラフラッシュシステムの携帯電話、屋内の住宅用又は商業用の照明、街路照明等の屋外の照明、自動車、医療装置、ＡＲ／ＶＲ装置、及びロボット装置であり得る。図２Ａに示されるＬＥＤシステム４００Ａ及び図２Ｃに示される車両ヘッドランプシステム３００は、例示的な実施形態におけるＬＥＤシステム５５２及び５５６を示す。
【００６７】
本明細書で説明するように、アプリケーション・プラットフォーム１３６０は、ライン５１６５又は他の適用可能な入力を介して電力バスを介してＬＥＤシステム５５２及び／又は５５６に電力を供給することができる。さらに、アプリケーション・プラットフォーム１３６０は、ＬＥＤシステム５５２及びＬＥＤシステム５５６の動作のためにライン５１６５を介して入力信号を与えることができ、その入力は、ユーザ入力／好み、感知された読取り、予めプログラムされた又は自律的に決定された出力等に基づき得る。１つ又は複数のセンサは、アプリケーション・プラットフォーム１３６０のハウジングの内部又は外部にあってもよい。あるいはまた、又はさらに、図２ＡのＬＥＤシステム４００に示されるように、各ＬＥＤシステム５５２及び５５６は、それ自体のセンサモジュール、接続及び制御モジュール、電源モジュール、及び／又はＬＥＤデバイスを含み得る。
【００６８】
実施形態では、アプリケーション・プラットフォーム１３６０のセンサ及び／又はＬＥＤシステム５５２及び／又は５５６のセンサは、視覚データ（例えば、ＬＩＤＡＲデータ、ＩＲデータ、カメラを介して収集されたデータ等）、オーディオデータ、距離ベースのデータ、移動データ、環境データ等、又はこれらの組合せ等のデータを収集することができる。データは、物体、個人、車両等の物理的なアイテム又はエンティティに関連し得る。例えば、感知機器は、ＡＤＡＳ／ＡＶベースのアプリケーションの物体の近接データを収集でき、このデータは、物理的なアイテム又はエンティティの検出に基づいて、検出及びその後の動作に優先順位を付けることができる。データは、例えばＬＥＤシステム５５２及び／又は５５６によってＩＲ信号等の光信号を発することに基づいて収集され、発せられた光信号に基づいてデータが収集される。データは、データ収集のために光信号を発するコンポーネントとは異なるコンポーネントによって収集されもよい。例を続けると、感知機器は自動車に配置してもよく、垂直共振器面発光レーザー（ＶＣＳＥＬ）を使用してビームを放出してもよい。１つ又は複数のセンサは、放出されたビーム又は他の任意の適用可能な入力に対する応答を感知することができる。
【００６９】
例示的な実施形態では、アプリケーション・プラットフォーム１３６０は自動車を表すことができ、ＬＥＤシステム５５２及びＬＥＤシステム５５６は自動車のヘッドライトを表すことができる。様々な実施形態において、システム１３５０は、ＬＥＤを選択的に活性化させて操縦可能な光を提供することができる操縦可能な光ビームを備えた自動車を表すことができる。例えば、ＬＥＤのアレイを使用して、形状又はパターンを規定又は投影するか、又は道路の選択された部分のみを照明することができる。例示的な実施形態では、ＬＥＤシステム５５２及び／又は５５６内の赤外線カメラ又は検出器ピクセルは、照明を必要とするシーンの一部（道路、歩行者、交差点等）を識別するセンサ（例えば、図２Ａ及び図２Ｃのセンサモジュール３１４及び３０７と同様）であり得る。
【００７０】
実施形態を詳細に説明してきたが、当業者は、本説明が与えられると、本発明の概念の趣旨から逸脱することなく、本明細書に記載の実施形態に変更を加えることができることを理解するであろう。従って、本発明の範囲を、図示及び説明された特定の実施形態に限定することは意図していない。特徴及び要素について特定の組合せで上に説明したが、当業者は、各特徴又は要素を、単独で、又は他の特徴及び要素との任意の組合せで使用し得ることを理解するだろう。さらに、本明細書で説明する方法は、コンピュータ又はプロセッサによる実行のためにコンピュータ可読媒体に組み込まれたコンピュータプログラム、ソフトウェア、又はファームウェアで実装され得る。コンピュータ可読媒体の例には、電子信号（有線又は無線接続を介して送信される）及びコンピュータ可読記憶媒体が含まれる。コンピュータ可読記憶媒体の例には、読取り専用メモリ（ＲＯＭ）、ランダムアクセスメモリ（ＲＡＭ）、レジスタ、キャッシュメモリ、半導体メモリデバイス、内蔵ハードディスク及びリムーバブルディスク等の磁気媒体、光磁気媒体、ＣＤ−ＲＯＭディスク、デジタル多用途ディスク（ＤＶＤ）等の光媒体が含まれるが、これらに限定されるものではない。
【図１Ａ】
2021507528.tif 000003
【図１Ｂ】
2021507528.tif 000004
【図１Ｃ】
2021507528.tif 000005
【図１Ｄ】
2021507528.tif 000006
【図１Ｅ】
2021507528.tif 000007
【図１Ｆ】
2021507528.tif 000008
【図１Ｇ】
2021507528.tif 000009
【図１Ｈ】
2021507528.tif 000010
【図１Ｉ】
2021507528.tif 000011
【図２Ａ】
2021507528.tif 000012
【図２Ｂ】
2021507528.tif 000013
【図２Ｃ】
2021507528.tif 000014
【図３】
2021507528.tif 000015
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
ピクセルアレイデバイスであって、当該デバイスは、
ピクセルのアレイであって、各ピクセルが、側壁を有しており、且つｎ型領域、活性化領域、ｐ型領域を含む、ピクセルのアレイと、
前記アレイ内の第１のピクセルの側壁に取り付けられた動的な光アイソレーション材料であって、前記側壁は、前記第１のピクセルと前記アレイ内の別のピクセルとの間に配置され、前記動的な光アイソレーション材料は複数の光学的状態の間で切り替え可能であり、少なくとも１つの光学的状態が、前記動的な光アイソレーション材料を通る光の透過を妨げるように構成され、前記動的な光アイソレーション材料は、状態トリガに基づいて複数の光学的状態の間で切り替わるように構成される、動的な光アイソレーション材料と、を含む、
デバイス。
【請求項２】
光の透過を妨げるように構成される前記光学的状態により、前記動的な光アイソレーション材料を光が通過するのが防止され、前記複数の光学的状態は、前記動的な光アイソレーション材料を光が通過するのを可能にするように構成される第２の光学的状態を含む、請求項１に記載のデバイス。
【請求項３】
光の透過を妨げるように構成される前記光学的状態により、前記動的な光アイソレーション材料を通過する光を散乱させ、前記複数の光学的状態は、光が前記動的な光アイソレーション材料を通過するのを可能にするように構成される第２の光学的状態を含む、請求項１に記載のデバイス。
【請求項４】
前記動的な光アイソレーション材料は、サーモクロミック材料、サーモトロピック材料、エレクトロクロミック材料、及びフォトクロミック材料のうちの１つである、請求項１に記載のデバイス。
【請求項５】
前記動的な光アイソレーション材料に取り付けられた第２の動的な光アイソレーション材料を含み、該第２の動的な光アイソレーション材料は、サーモクロミック材料、サーモトロピック材料、エレクトロクロミック材料、及びフォトクロミック材料のうちの１つである、請求項４に記載のデバイス。
【請求項６】
前記状態トリガは、光学的アドレス指定、電気的アドレス指定、又は温度変化のうちの１つである、請求項１に記載のデバイス。
【請求項７】
前記状態トリガは、前記アレイ内のピクセルによって提供される、請求項１に記載のデバイス。
【請求項８】
前記状態トリガは、前記アレイ内の２つ以上のピクセルによって提供される、請求項１に記載のデバイス。
【請求項９】
前記第１のピクセルは波長変換層を含み、前記動的な光アイソレーション材料は前記波長変換層の側壁に取り付けられる、請求項１に記載のデバイス。
【請求項１０】
前記第１のピクセルの非側壁面に取り付けられた第２の動的な光アイソレーション材料を含む、請求項１に記載のデバイス。
【請求項１１】
前記光学的状態は、不透明状態、散乱状態、及び反射状態のうちの１つで光の透過を妨げるように構成され、前記複数の光学的状態には、透明状態、及び非散乱状態のうちの１つである第２の光学的状態が含まれる、請求項１に記載のデバイス。
【請求項１２】
前記ピクセルのアレイは、ピクセルのグループにセグメント化され、各グループは個々にアドレス指定可能である、請求項１に記載のデバイス。
【請求項１３】
方法であって、当該方法は、
請求項１に記載の前記ピクセルアレイデバイスの前記第１のピクセルをアドレス指定して、前記第１のピクセルの前記活性化領域を発光させるステップと、
前記第１のピクセルの側壁に取り付けられた前記動的な光アイソレーション材料に状態トリガを送って、前記動的な光アイソレーション材料の光学的状態を切り替えるステップと、を含む、
方法。
【請求項１４】
方法であって、当該方法は、
請求項１２に記載の前記ピクセルアレイデバイスの第１のグループのピクセルをアドレス指定して、前記第１のグループ内の前記ピクセルの前記活性化領域を発光させるステップと、
請求項１２に記載の前記ピクセルアレイデバイスの第２のグループのピクセルをアドレス指定しないステップであって、前記第２のグループのピクセルは前記第１のグループのピクセルとは異なる、アドレス指定しないステップと、
前記第１のグループのピクセル内の隣接するピクセル同士の間のピクセル側壁に取り付けられた前記動的な光アイソレーション材料に状態トリガを送って、前記動的な光アイソレーション材料の光学的状態を切り替えるステップと、を含む、
方法。
【請求項１５】
ピクセルアレイデバイスであって、当該デバイスは、
ピクセルのアレイであって、各ピクセルが、側壁を有しており、且つｎ型領域、活性化領域、及びｐ型領域を含み、前記ピクセルのアレイはピクセルのグループにセグメント化され、各グループは個々にアドレス指定可能である、ピクセルのアレイと、
前記アレイ内の前記ピクセルの側壁に取り付けられたサーモクロミック材料であって、前記側壁は前記アレイ内の隣接するピクセル同士の間に配置され、前記サーモクロミック材料は、該サーモクロミック材料の温度変化の結果として透明状態と非透明状態との間で切り替え可能である、サーモクロミック材料と、を含む、
デバイス。
【請求項１６】
前記透明状態は、少なくとも９５％透明である、請求項１５に記載のデバイス。
【請求項１７】
方法であって、当該方法は、
請求項１５に記載の前記デバイスの第１のグループのピクセルをアドレス指定して、前記第１のグループ内の前記ピクセルの前記活性化領域を発光させ、且つ前記第１のグループ内の前記ピクセルの側壁に取り付けられた前記サーモクロミック材料を透明状態に切り替えるステップと、
請求項１５に記載の前記デバイスの第２のグループのピクセルをアドレス指定しないステップであって、前記第２のグループ内の前記ピクセルの側壁に取り付けられた前記サーモクロミック材料は非透明状態のままであり、前記第２のグループのピクセルは前記第１のグループのピクセルとは異なる、アドレス指定しないステップと、を含む、
方法。
【請求項１８】
ピクセルアレイデバイスであって、当該デバイスは、
ピクセルのアレイであって、各ピクセルが、側壁を有しており、且つｎ型領域、活性化領域、及びｐ型領域を含み、前記ピクセルのアレイはピクセルのグループにセグメント化され、各グループは個々にアドレス指定可能である、ピクセルのアレイと、
前記アレイ内の前記ピクセルの側壁に取り付けられたフォトクロミック材料であって、前記側壁は前記アレイ内の隣接するピクセル同士の間に配置され、前記フォトクロミック材料は透明状態と非透明状態との間で切り替え可能である、フォトクロミック材料と、を含む、
デバイス。
【請求項１９】
前記透明状態は、少なくとも９５％透明である、請求項１８に記載のデバイス。
【請求項２０】
方法であって、当該方法は、
請求項１８に記載の前記デバイスの第１のグループのピクセルをアドレス指定して、前記第１のグループ内の前記ピクセルの前記活性化領域を発光させるステップと、
前記第１のグループ内の前記ピクセルの側壁に取り付けられた前記フォトクロミック材料を照らして、該フォトクロミック材料を透明状態に切り替えるステップと、
請求項１８に記載の前記デバイスの第２のグループのピクセルをアドレス指定しないステップであって、前記第２のグループ内の前記ピクセルの側壁に取り付けられた前記フォトクロミック材料は非透明状態のままであり、前記第２のグループのピクセルは前記第１のグループのピクセルとは異なる、アドレス指定しないステップと、を含む、
方法。
【国際調査報告】
2021507528.tif 000016
2021507528.tif 000017
2021507528.tif 000018